(57)【要約】【課題】  重量が軽く十分な安定性を有するカセットハウジングの提供。【解決手段】  荷重を支持する第１プロフィール部材（１）が設けられており、第１プロフィール部材が少なくともほぼ、カセットハウジングの長さにわたって延びており、かつ第１プロフィール部材に第２プロフィール部材（３）が固定されている。第１プロフィール部材（１）には好ましくは穴（４）が設けられる。【選択図】      図１
2006036198.tif 000002
【特許請求の範囲】
【請求項１】
フレキシブルな面形成物が巻取りおよび繰出し可能に保持されている少なくとも１本の巻取り軸を収容するための長手方向に延びるプロフィール部材を有するカセットハウジングであって、
荷重を支持する長い第１プロフィール部材（１）が設けられており、前記第１プロフィール部材が少なくともほぼ、カセットハウジングの長さにわたって延びており、かつ前記第１プロフィール部材に第２プロフィール部材（３）が固定されていることを特徴とする、カセットハウジング。
【請求項２】
第１プロフィール部材（１）に、穴（４）が設けられていることを特徴とする請求項１に記載のカセットハウジング。
【請求項３】
第１プロフィール部材（１）が、Ｌ字状の横断面を有していることを特徴とする請求項１または２に記載のカセットハウジング。
【請求項４】
第１プロフィール部材（１）の、両方の前端部に、少なくとも１本の巻取り軸を軸承するための軸受台（８）が設けられていることを特徴とする請求項１に記載のカセットハウジング。
【請求項５】
軸受台が、第１プロフィール部材（１）に一体的に形成された支持アングル部材（８）を有することを特徴とする請求項４に記載のカセットハウジング。
【請求項６】
第１プロフィール部材（１）が、金属薄板構造として形成されていることを特徴とする請求項１に記載のカセットハウジング。
【請求項７】
２つのカップ形状のサイド部品（２）が設けられており、前記サイド部品が第１プロフィール部材（１）と第２プロフィール部材（３）を軸方向に部分的に覆い、かつ第１プロフィール部材（１）とも、第２プロフィール部材（３）とも結合されていることを特徴とする請求項１に記載のカセットハウジング。
【請求項８】
サイド部品（２）および／または第２プロフィール部材（３）が、軽構造材料から、特にプラスチックまたは複合材料から形成されていることを特徴とする請求項１から７のいずれか１項に記載のカセットハウジング。
【請求項９】
サイド部品（２）が、同サイド部品（２）を第２プロフィール部材（３）および第１プロフィール部材（１）上に軸方向に差し嵌めるための差込みプロフィール構造（１８）を有していることを特徴とする請求項７に記載のカセットハウジング。
【請求項１０】
第１プロフィール部材（１）が、凹凸を有する長手端縁部分（１０）を有しており、前記長手端縁部分がその長さにわたって第２プロフィール部材（３）のプロフィール収容部分（１５）と面で結合されていることを特徴とする請求項１に記載のカセットハウジング。
【発明の詳細な説明】
【技術分野】
【０００１】
本発明は、少なくとも１本の巻取り軸を収容するための、長手方向に延びるプロフィール部材を有するカセットハウジングに関するものであって、その巻取り軸上にはそれぞれフレキシブルな面形成物が巻取りおよび繰出し可能に保持されている。
【背景技術】
【０００２】
この種のカセットハウジングは、ステーションワゴンの荷物室保護装置のために、一般に知られている。カセットハウジングは、長手方向に延びるプロフィール部材として形状の安定した中空のプロフィール部材を有しており、その中空のプロフィール部材は通常金属押出成形プロフィール部材として形成されている。中空のプロフィール部材の両方の前側は、サイド部品によって閉鎖されており、それらサイド部品には、２本の巻取り軸のための軸受が設けられている。一方の巻取り軸は、カセットハウジングからほぼ垂直上方へ引き出すことのできる、フレキシブルな分離ネットを支持している。他方の巻取り軸は、フレキシブルなカバーパネルとして形成された、荷物室カバーを支持している。カバーパネルは、広い長手スリットを通してカセットハウジングから、ほぼ水平に引き出すことができる。カセットハウジングは、それに応じた固定部材を用いて車両固定のホルダ内に取外し可能に固定されている。カセットハウジングは、その機能状態において、車両内に取り付けられており、分離ネットが上方へ引き出されて、天井側のホルダ内に懸下されている。フルブレーキ、車両衝突などによって車両が著しく減速した場合に、荷物室から荷物が前方へ放り出され、荷物が分離ネットに食い込んで、それによって分離ネットだけでなく、カセットハウジングも著しい負荷にさらされる。この負荷を吸収することができるようにするために、カセットハウジングと特に中空のプロフィール部材は、極めて安定的に形成される。従ってカセットハウジングは、高い重量を有している。
【発明の開示】
【発明が解決しようとする課題】
【０００３】
本発明の課題は、重量が軽く、しかも十分な安定性を有する、冒頭で挙げた種類のカセットハウジングを提供することである。
【課題を解決するための手段】
【０００４】
この課題は、荷重を支持する第１プロフィール部材が設けられており、その第１プロフィール部材が少なくともほぼカセットハウジングの長さにわたって延びており、かつその第１プロフィール部材に第２プロフィール部材が固定されていることによって、解決される。カセットハウジングの重要な荷重を吸収する機能は、本発明に基づく解決においては、荷重を支持する第１プロフィール部材によって引き受けられる。第２プロフィール部材は、１つまたは複数の開放した中空室を有するシェル形状で形成されており、その第２プロフィール部材は第１プロフィール部材との結合によって、それに応じた、閉鎖された中空室を形成する。ここでは、シェルプロフィールが問題にされる。代替的に、第２プロフィール部材に少なくとも１つの閉成された中空室を設けることもできる。その場合にここでは、閉成された中空プロフィールが問題になる。荷重を吸収する機能は、第１プロフィール部材によって引き受けられるので、第２プロフィール部材自体はずっと減少された安定性を持つことができ、それによってカセットハウジングのために著しい重量削減をもたらすことができる。好ましくは荷重を支持する第１プロフィール部材は、金属、特に軽金属から形成されている。
【発明の効果】
【０００５】
本発明に基づく解決は、特に、自動車の室内の保護装置の一部となる、カセットハウジングに適している。この種の保護装置は、一方では、ほぼ垂直に引出し可能な分離形成物であって、他方では、ほぼ水平に引出し可能な荷物室カバーである。同様に、カセットハウジングは、ロールブラインド形式で引出し可能なサンシェード形成物を有する、サンシェード装置にも使用することができる。好ましくは第１プロフィール部材には、エネルギを吸収する、変形可能な構造が設けられている。この種の構造は、特に、荷重を吸収する第１プロフィール部材が少なくとも部分的に、エネルギを吸収して可塑変形することができることによって、形成することができる。シェル状または閉成された第２プロフィール部材とサイド部品のような、カセットハウジングの支持を行わない部分は、プラスチックから形成することができるので、これらはデザイン的な観点からほぼ自由に構成することができる。このことが、車両室内形態への良好な適合を得る可能性を提供する。好ましくは荷重を吸収する第１プロフィール部材のためには、きわめてじょうぶな材料が使用され、その材料は、場合によっては、特に穴あき構造によって、部分的な材料削減と組み合わせることもできる。本発明に基づく解決は、特に好ましくは、車両室内に客室も、客室に対して開放した荷物室も有する、乗用車に適している。その場合にカセットハウジングは、荷物室に対応づけられた、特に後部シートベンチの領域に車両固定で取外し可能に位置決めされている、保護装置の一部である。保護装置は、１つの面形成物によって好ましくは荷物室を客室から分離し、かつ他の面形成物によって荷物室をほぼ水平に覆うために用いられる。
【０００６】
本発明の形態において、荷重を支持する第１プロフィール部材には、穴あき構造が設けられている。それによってさらなる重量削減が得られる。穴あき構造は、第１プロフィール部材の重要な強度判断基準が損なわれることのないように、形成されている。
【０００７】
本発明の他の形態においては、第１プロフィール部材は、Ｌ字状の横断面を有している。従って好ましくは、互いに対してＬ字状に方向付けされた２つのプロフィール脚が形成され、そのうちの一方がカセットハウジングの背壁を形成し、他方は下側を形成することができる。
【０００８】
本発明の他の形態においては、第１プロフィール部材は、その両方の前端部に少なくとも１本の巻取り軸を軸承するための軸受台を有している。負荷が発生した場合に少なくとも１本の巻取り軸を介しても力がカセットハウジング内へ伝達されるので、この形態は、この負荷を、それに応じた荷重吸収に適した第１プロフィール部材内へ導入することを保証する。
【０００９】
本発明の他の形態においては、軸受台は第１プロフィール部材に一体的に形成された支持アングル部材を有している。支持アングル部材には、巻取り軸のための適切な軸受部材が配置されている。
【００１０】
本発明の他の形態においては、第１プロフィール部材は、一体的な金属薄板構造として形成されている。それによって、安価で、しかも十分に安定した解決が保証される。
【００１１】
本発明の他の形態においては、２つのカップ形状のサイド部品が設けられており、それらサイド部品は第１プロフィール部材と第２プロフィール部材を軸方向に部分的に覆い、かつ第１プロフィール部材とも第２プロフィール部材とも結合されている。サイド部品は、特に、ほぼ水平に巻取りおよび繰出し可能な荷物室カバーを保持するための、他の巻取り軸を軸承するために設けることができ、その荷物室カバーは車両が著しく減速した場合に支持機能を持たない。サイド部品は、特に、第２プロフィール部材を第１プロフィール部材と位置固定して結合するために用いられる。
【００１２】
本発明の他の形態においては、サイド部品および／または第２プロフィール部材は、軽構造材料から、特にプラスチックまたは複合材料から形成されている。サイド部品と第２プロフィール部材は、少なくともほとんど、荷重を吸収する機能を持たないので、それらは軽構造で形成することができ、それによってカセットハウジングの重量全体を極めて小さく抑えることができる。カセットハウジングの全体重量が小さいことは、自動車の内部に取り付けあるいは取り外す場合に、カセットハウジングの人間工学的に好ましい、かつ取扱いやすい操作性を提供する。さらに、サイド部品と第２プロフィール部材を少なくともほぼ、デザイナーの構成判断基準に従って形成する可能性が提供されるので、特に車両室内形態への適合が可能である。
【００１３】
本発明の他の形態においては、サイド部品は、そのサイド部品を第２プロフィール部材および第１プロフィール部材上に軸方向に差し嵌めるための差込みプロフィール構造を有している。それによって第２プロフィール部材と第１プロフィール部材におけるサイド部品の、差し嵌め方向における摩擦結合の支持と、差込み方向に対して横方向における相補形状の支持が保証される。
【００１４】
本発明の他の形態においては、第１プロフィール部材は、凹凸を備えた長手端縁部分を有しており、その長手端縁部分がその長さにわたって第２プロフィール部材のプロフィール収容部分と結合されている。好ましくは凹凸を有する長手端縁部分とプロフィール収容部分は、長手端縁部分とプロフィール収容部分が軸方向に互いに移動することができるので、第１プロフィール部材と第２プロフィール部材が結合された場合に、摩擦結合に加えて形状結合も与えられるように、互いに合わせられている。
【発明を実施するための最良の形態】
【００１５】
本発明の他の利点と特徴が、請求項および、図面を用いて示される本発明の好ましい実施例についての、以下の説明から明らかにされる。
【００１６】
図１から３に示すカセットハウジングは、保護装置の一部であって、その保護装置は自動車、特にステーションワゴン、大型リムジン、スポーツユーティリティビークルなどの荷物室の領域に配置されている。カセットハウジングの配置は、好ましくは客室への移行部の、荷物室の前部領域内で行われ、その領域も同様に車両室内の一部である。好ましくはカセットハウジングは、大体においてサイドパネルの縁＊の高さにおいて車両固定のホルダ内で車両横方向に向けられて、後部シートベンチのすぐ後ろに位置決めされている。カセットハウジングは、荷物室の、少なくともほぼ幅全体にわたって延びている。
【００１７】
カセットハウジングは、複数の部品から形成され、その一部のみが荷重を吸収する機能を有し、かつそれに応じた強度を有している。図１から３を用いて認識できるように、カセットハウジングは第１プロフィール部材１を有しており、その第１プロフィール部材は極めてじょうぶな材料からなり、エネルギを吸収して変形することができる。図示の実施例において、荷重を吸収する第１プロフィール部材１は、一体的な金属薄体構造として形成されている。第１プロフィール部材１は、大体において、ほぼＬ字状の断面を有しており、その断面によってカセットハウジングの背壁を形成するプロフィール脚と下側を形成するプロフィール脚１４が形成される。背側のプロフィール脚は、穴あき構造を有しており、その穴あき構造は第１プロフィール部材１の長手方向に延びる１列の長穴によって形成されている。背側のプロフィール脚は、さらに、２つの補強ビードを有しており、それらは長穴列４に対して平行に、この長穴列の上方と下方において第１プロフィール部材１の全長にわたって延びている。下側のプロフィール脚１４は、その長手端縁の領域に、その全長にわたってビード状のプロフィール構造を１０有しており、そのプロフィール構造は断面において上方へ向かって凸状に湾曲されている（図３）。下方のプロフィール脚１４の反対側の前端部には、直角に上方へ張り出す保持フラップ９が設けられており、その保持フラップは巻取り軸の機能部品を固定するために用いられる。
【００１８】
背側のプロフィール脚は、その両方の前側にフラップ突出部７を有しており、それらは背側のプロフィール脚の延長上に第１プロフィール部材１の長手方向に連続し、プレート状かつ平坦に形成されている。フラップ突出部７の下方において、両方の前側の領域に２つの支持アングル部材８が設けられており、それらは背側のプロフィール脚から、下側のプロフィール脚１４へ向かう側へ直角に張り出している。各支持アングル部材８は、２つの支持アングル部材の間に、第１プロフィール部材１の全長にわたって延びる巻取り軸を回転可能に軸承することができるようにするために、軸受部材２０（図３）を有している。巻取り軸は、原則的に知られた、詳しく図示しないやり方で、巻上げおよび繰出し可能な、分離ネットの形状の面形成物を有しており、その面形成物は、カセットハウジングが車両内部で位置決めされて、天井側のホルダ内に取外し可能に固定できるとすぐに、ほぼ垂直上方へ引き出すことができる。巻取り軸は、復帰ばね装置を有しており、その復帰ばね装置は、巻取り軸へ巻取り方向にばね力を供給するために、保持フラップ９に支持されている。
【００１９】
荷重を吸収する第１プロフィール部材１に、中空の第２プロフィール部材３が固定されており、その中空の第２プロフィール部材はシェル状かつ閉成された中空に形成されている。中空の第２プロフィール部材３は、ほぼ閉成された上方の中空室１２を有しており、その中空室は中空の第２プロフィール部材３の全長にわたって延びる長手スリット１１によってだけ、斜め上方かつ前へ向かって開放している。中空の第２プロフィール部材３のシェル部分１３は、中空室１２の下方に配置されて、断面において、第１プロフィール部材１のＬ字状の断面と共に、巻取り軸とその上に固定されている、支持アングル部材８間に軸承された面形成物を収容するための広い中空室が得られるように、第１プロフィール部材１へ向かって湾曲している。シェル部分１３を第１プロフィール部材１に固定するために、シェル部分１３はその長手端縁の領域に、長手側へ向かって開放した収容溝を有しており、その収容溝は湾曲した断面を有しており、その断面がビード状のプロフィール構造１０の断面に合わせられている。それによって中空の第２プロフィール部材３のシェル部分１３の長手端縁の収容溝を、ビード状のプロフィール構造１０上へ相補形状で差し嵌めることができる。差し嵌めは、図２に示す中空の第２プロフィール部材３がその全長にわたって第１プロフィール部材１の前に位置決めされて、その幅全体にわたって同時に揺動させることにより同時にビード状のプロフィール構造１０上に差し嵌められることによって、第１プロフィール部材１の長手方向か、あるいは第１プロフィール部材１の長手方向に対して横方向に、行うことができる。
【００２０】
中空の第２プロフィール部材３を第１プロフィール部材１に固定することができるようにするために、ビード状のプロフィール構造１０と長手端縁１５およびそれに属する収容溝の間の差込み結合の他に、係止結合が設けられており、その係止結合は支持アングル部材８の領域に位置決めされている。
【００２１】
そのために２つの支持アングル部材８は、その前方上の端部領域に、上方へ張り出す係止突片１７を有している。中空の第２プロフィール部材２には対応する係止ウェブ１６が設けられており、その係止ウェブは、組み立てられた状態において、図３に示すように、係止突片１７を介して係止される。それによって第１プロフィール部材１に中空の第２プロフィール部材３を暫定的に固定することができる。最終的な固定は、２つのカップ形状のサイド部品２によって行われ、それらサイド部品は第１プロフィール部材１と中空の第２プロフィール部材３の予め組み立てられたユニット上へ、対向する前側から軸方向へ嵌めることができる（図１と２）。
【００２２】
中空の第２プロフィール部材３は、図示の実施例においては、プラスチックから形成されている。２つのカップ形状のサイド部品２も、プラスチックから形成されており、それぞれ第１プロフィール部材１と中空の第２プロフィール部材３を所定の軸方向長さにわたって外側から把持する。各サイド部品２には、詳しく図示されていない長手スリット連続部が設けられており、それは中空の第２プロフィール部材３の長手スリット１１に対して整合して配置されている。２つのサイド部品２は、それぞれ支持突出部６を有しており、その支持突出部はカセットハウジングの長手軸線に対して平行に、カセットハウジングの中心へ向かって張り出している。各サイド部品２は、第１プロフィール部材１と中空の第２プロフィール部材３の上へ軸方向に嵌め込まれる。それぞれのサイド部品２、中空の第２プロフィール部材３の付属の端部領域および第１プロフィール部材１の突出部７を相補形状で固定するために、各サイド部品２の内側輪郭が、中空の第２プロフィール部材３および第１プロフィール部材１の外側輪郭に合わせられている。内側において各サイド部品２に、ガイドウェブとガイドアングル片の形状の差込みプロフィール構造１８が設けられており、それがサイド部品２内に中空の第２プロフィール部材３を面一かつあそびなしに収容することを可能にする。各サイド部品２は、さらに少なくとも１つの固定部材５によって、その固定部材５が第１プロフィール部材１に対するそれぞれのサイド部品２の軸方向の固定をもたらすことによって、第１プロフィール部材１に固定されている。固定部材５として、リベット、ボルトあるいは同様の固定手段を設けることができる。
【００２３】
各サイド部品２の内側の端面には、他の巻取り軸を軸承するための、ボルト形状の軸受部材１９が設けられており、その巻取り軸上に図示されていない方法でフレキシブルな荷物室カバーが保持されている。
【００２４】
さらに、サイド部品２に、あるいは直接第１プロフィール部材１に、詳しく図示されていない方法で、カセットハウジングを車両側に固定するための保持装置の部品が取り付けられている。保持装置の、対応する車両固定の部品は、後部シートベンチの背もたれの後ろ側の領域か、あるいはほぼサイドパネルの縁の高さにおいて車両側壁に配置されている。
【図面の簡単な説明】
【００２５】
【図１】本発明に基づくカセットハウジングの実施例を、通常後部シートベンチへ向いた後ろ側から示す、斜視図である。
【図２】図１に示すカセットハウジングを分解して示す斜視図である。
【図３】図１に示すカセットハウジングの断面を拡大して示している。
【符号の説明】
【００２６】
１    第１プロフィール部材
２    サイド部品
３    第２プロフィール部材
４    穴
【図１】
2006036198.tif 000003
【図２】
2006036198.tif 000004
【図３】
2006036198.tif 000005